(57)【要約】      （修正有）【課題】外部からの断熱は勿論のこと、隣接する部屋間の音を遮断，防音する断熱遮音性の高い断熱遮音向上家屋を提供する。【解決手段】屋根，外壁，床の建物の全外周にアルミニウム材を主とする断熱材５Ａ，５Ｂを間隔を置いて２枚並設し、前記２枚並設の断熱材５Ａ，５Ｂ間の間隔を空気層Ｐとして遮蔽して断熱遮音できるようにして成ることを特徴とする。【選択図】図１
0003145829.tif 000002
【実用新案登録請求の範囲】
【請求項１】
屋根，外壁，床の建物の全外周にアルミニウム材を主とする断熱材を間隔を置いて２枚並設し、前記２枚並設の断熱材間の間隔を空気層として遮蔽して断熱遮音できるようにして成ることを特徴とする断熱遮音向上家屋。
【請求項２】
断熱材は、一対のアルミニウム材料の間にポリエチレン層を介在させて成ることを特徴とする請求項１記載の断熱遮音向上家屋。
【考案の詳細な説明】
【技術分野】
【０００１】
本考案は、断熱遮音性の高い断熱遮音向上家屋に関する。
【背景技術】
【０００２】
一般に、家屋の断熱方法は、グラスウールやロックウール或は発泡ウレタン，発泡スチロール，発泡ポリエチレン等の合成樹脂系の一般材料が用いられている。
【０００３】
また最近では、経済産業省が支援する（社）日本建材・住宅設備産業協会が運用する「優良断熱建材認定制度（ＤＫ制度）」によりＤＫマークを付与され、住宅金融公庫の断熱構造をクリアした商品を用いることで、ユーザーである消費者が特典を得られるというメリットがあり、これを設けた断熱性向上家屋が知られている（例えば、特許文献１参照）。
【特許文献１】実用新案登録第３１２１２２９号公報
【考案の開示】
【考案が解決しようとする課題】
【０００４】
特許文献１で知られる断熱性向上家屋は、断熱性向上に優れるが遮音性に難点があった。
【０００５】
最近では、容積の少ない少建坪の建物が増え、間仕切りの小さな部屋の隣接は避けきれず、断熱性と併せて防音遮音性の優れた家屋の要望が強く叫ばれて来た。
【０００６】
本考案は、叙上の点に着目して成されたもので、外部からの断熱は勿論のこと、隣接する部屋間の音を遮断，防音する断熱遮音性の高い断熱遮音向上家屋を提供することを目的とするものである。
【課題を解決するための手段】
【０００７】
以下に、本考案の構成を説明する。
【０００８】
（１）屋根，外壁，床の建物の全外周にアルミニウム材を主とする断熱材を間隔を置いて２枚並設し、前記２枚並設の断熱材間の間隔を空気層として遮蔽して断熱遮音できるようにして成ることを特徴とする断熱遮音向上家屋。
【０００９】
（２）断熱材は、一対のアルミニウム材料の間にポリエチレン層を介在させて成ることを特徴とする前記（１）記載の断熱遮音向上家屋。
【考案の効果】
【００１０】
本考案によれば、２枚の並設されたアルミニウム材を主とする断熱材で遮蔽された空間を空気層として形成してあるので、この空気層と２枚の並設されたアルミニウム材を主とする断熱材とによって断熱効果を有効に働かせることができると共に、音の遮蔽をきわめて強固に行わせることができる。
【００１１】
したがって、家屋としての各部屋は、２重の並設させる断熱材とその間の空気層とにより断熱防音作用をきわめて効率よく働かせることができ、小容積，小型の家屋の建築を促進できる。
【００１２】
さらに本考案によれば、屋根，天井，壁，床等の家屋全体が空気層を介在させた２枚並設の断熱材で包囲されているので、害虫や鼠の侵入を防いで家屋全体を清潔に保持できる。
【００１３】
そして本考案によれば、脱炭素ＣＯ２住宅の建築をより促進でき自然環境の改善を図ることができる。
【考案を実施するための最良の形態】
【００１４】
以下本考案を実施するための最良の形態を、実施例により詳しく説明する。
【実施例】
【００１５】
図示された家屋は、所謂、在来工法に基づく戸建て住宅の場合を示しており、１は屋根、２は外壁、３は基礎４上の床を示している。５は、図５の拡大断面図に示すように、アルミニウム材Ａを両面とし、内部にポリエチレン層６を１層または２層とした断熱材を示すと共に、この断熱材５は間隔を置いて２枚一組として前記屋根１の下部、外壁２の内部、並びに床３の下部に適宜配設する。
【００１６】
図１は、本考案に係る家屋の屋根構造を示す拡大断面図であって、前記屋根１の表面には屋根仕上げ材７が敷設され、中空の自然棟換気部材８を介してアスファルトルーフィング９が積層され、野地板１０が設けられ、第１の断熱材５Ａが押え垂木１１を介して敷設される。
【００１７】
この押え垂木１１の下方に間隔を置いて、空気層Ｐを形成して第２の断熱材５Ｂが垂木１２に敷設される。そして、前記空気層Ｐは止木１３などを介して遮蔽され密閉構造とすることができる。
【００１８】
つぎに、図２について（ａ），（ｂ）２通りの壁取付け構造を説明する。
【００１９】
まず、（ａ）の場合について説明する。
【００２０】
１４は、屋外側に設けられるラスモルタル塗りジョリバット仕上げで、構造用合板１５を介して固定される。
【００２１】
１６は、屋内側に設けられる石膏ボード壁仕上げ材を示し、支柱１７で支持固定される。
【００２２】
そして、前記第１の断熱材５Ａは、前記ラスモルタル塗りジョリバット仕上げ１４の内側で構造用合板１５に固定され、胴縁１８を介して固着され、さらに内側に向けて空気層Ｐを形成し乍ら、第２の断熱材５Ｂを張設し、止木１３を介して空気層Ｐを密閉状態に形成できる。
【００２３】
その結果、第２の断熱材５Ｂ内側には、前記支柱１７を経て内層の石膏ボード壁仕上げ材１６が配設される。
【００２４】
つぎに（ｂ）について説明する。
【００２５】
この場合では家屋外に臨まれる構成が、サイディングパワーボードなどの外壁材１９である点で相異するのみで、それ以外の構成は基本的に同一である。
【００２６】
したがって、同一符号を示して構造の説明を省く。
【００２７】
つぎに、図３の本考案の床３の構造について説明する。
【００２８】
２０は床仕上げ材で、最上位の構成を示し、この床仕上げ材２０の下面に根太２３を介して、間隔を置いて上下２段の第１の断熱材５Ａおよび第２の断熱材５Ｂを大引き２１を介して間隔を置いてさらに受け根太２２により配設される。この場合、空気層Ｐを密閉するため止木１３を介在させる。
【００２９】
図４に本考案に係る基礎４の断熱構造の詳細図を示す。
【００３０】
２４はコンクリート打ちされた基礎４上の周面に設けた土台を示し、この土台２４に前記外壁２を構成する内外２重の第１の断熱材５Ａと第２の断熱材５Ｂの下端が確固に固定されており、基礎４の上側には微少な間隙を置いて単一の断熱材５が張設してある。この断熱材５は、前記した構成、即ち一対のアルミニウム材Ａを両面とし、内部にポリエチレン層６を１層または２層とした断熱材を構成する（図５参照）。
【００３１】
なお図示していないが、家屋内の部屋の間仕切りには、表面の内装仕上げの間に、図５に示す内外二重の断熱材を配設し、且つ空気層を介在させた断熱遮音壁面として形成するものである。
【００３２】
つぎに、家屋の屋根に実用新案登録第３１１７１０１号公報に示すようにエアコンを付設し、各部屋内の冷房，暖房などの空気調和を行わせるために、壁面，柱に沿った配管を設けて、クリーンルームによる生活住環境の向上を図ることもできる。
【図面の簡単な説明】
【００３３】
【図１】本考案に係る家屋の屋根の構造を示す拡大断面図
【図２】（ａ），（ｂ）  本考案に係る家屋の壁取付け構造を示す２例の拡大断面図
【図３】本考案に係る家屋の床取付け構造を示す拡大断面図
【図４】本考案に係る家屋の基礎構造を示す拡大断面図
【図５】本考案に係る家屋の断熱遮音構成を示す要部の拡大断面図
【符号の説明】
【００３４】
１    屋根
２    外壁
３    床
４    基礎
５    断熱材
５Ａ  第１の断熱材
５Ｂ  第２の断熱材
６    ポリエチレン層
７    屋根仕上げ材
８    自然棟換気部材
９    アスファルトルーフィング
１０    野地板
１１    押え垂木
１２    垂木
１３    止木
１４    ラスモルタル塗りジョリバット仕上げ
１５    構造用合板
１６    石膏ボード壁仕上げ材
１７    支柱
１８    胴縁
１９    材外壁
２０    床仕上げ材
２１    大引き
２２    受け根太
２３    根太
２４    土台
Ａ    アルミニウム材
Ｐ    空気層
【図５】
0003145829.tif 000003
【図１】
0003145829.tif 000004
【図２】
0003145829.tif 000005
【図３】
0003145829.tif 000006
【図４】
0003145829.tif 000007